(57)【特許請求の範囲】
【請求項１】
排泄物を入れる開口縁部と、内部に排泄物を収容する底部とを有して袋体に形成された袋を複数枚有し、
当該複数枚の袋体のそれぞれの底部を互いに径方向に重なるよう配置して、それぞれの使用後に個別に分離可能に当該複数枚の袋を結合したことを特徴とする袋集合体。
【請求項２】
請求項１記載の袋集合体において、
当該袋集合体を設置対象の便器に固定するための固定手段を備え、
前記便器に設置した状態で下向きの頂点となるように、前記複数枚の袋の前記底部が、前記便器への設置状態を基準として側面視略三角形形状に形成されており、
前記複数枚の袋のそれぞれの前記開口縁部に複数の把持部が形成されている
ことを特徴とする袋集合体。
【請求項３】
請求項２記載の袋集合体において、
前記複数の把持部は、前記複数枚の袋のそれぞれの同じ配置で同じ突起形状に形成されており、
前記複数枚の袋は、互いに重なり合った前記把持部の先端部分どうしで結合していることを特徴とする袋集合体。
【請求項４】
請求項３記載の袋集合体において、
少なくとも最も外周に位置する袋以外の袋が備える前記把持部に、前記先端部分を分離可能なミシン目が形成されていることを特徴とする袋集合体。
【請求項５】
請求項４記載の袋集合体において、
前記固定手段は、前記把持部の前記先端部分に設けられていることを特徴とする袋集合体。
【発明の詳細な説明】
【技術分野】
【０００１】
本発明は、災害時等に非常用トイレとして使用できる、排泄物回収用の袋集合体に関する。
【背景技術】
【０００２】
例えば地震や火災などの災害時において、上水道や下水道のインフラ設備の機能が停止した場合には、常設の水洗トイレの水洗機能も停止してしまいその使用できなくなる。しかし、そうした災害時等においても、この常設の水洗トイレの便器を使用して排泄物を回収する方法が望まれている。
【０００３】
そのため従来では、便器の内部に設置し、使用後に開口部を閉鎖して排泄物を回収できる処理袋が提案されている（例えば、特許文献１参照）。
【先行技術文献】
【特許文献】
【０００４】
【特許文献１】登録実用新案公報第３０１６９７１号
【発明の概要】
【発明が解決しようとする課題】
【０００５】
しかしながら上記従来の技術では、それまで通常に使用されていた便器の内部に処理袋を設置するものであり、使用のたびに当該処理袋を便器の内部から取り出して交換する必要があるため、その際に便器内に残っていた汚れた水などが周囲に飛散してしまう可能性がある。
【０００６】
また、一人の使用者が使用するたびに逐一処理袋全体を便器に設置するとした場合、その取り出しと設置の交換作業が煩雑であり、特に次の使用者が急いでいて袋を取り付けずにトイレを使用した場合には非常に煩雑となる。逆に、一つの処理袋を多人数で使用するとした場合には、処理袋の内部に大量の排泄物を長時間貯留することになるため、この場合にも衛生上の問題がある。
【０００７】
本発明の目的は、非常用トイレとして簡易かつ衛生的に使用することが可能な袋集合体を提供することにある。
【課題を解決するための手段】
【０００８】
上記目的を達成するために、第１発明の袋集合体は、排泄物を入れる開口縁部と、内部に排泄物を収容する底部とを有して袋体に形成された袋を複数枚有し、当該複数枚の袋体のそれぞれの底部を互いに径方向に重なるよう配置して、それぞれの使用後に個別に分離可能に当該複数枚の袋を結合したことを特徴とする。
【０００９】
これにより、各開口縁部を上方に開口させて各底部を便器の内部に配置するよう設置することで、使用者は最も内側に位置する袋の開口縁部を介してその底部の内部に排泄物を収容させることができる。そして、その使用後に、当該排泄物を収容している最も内側の袋を袋集合体から個別に分離し、その単体で処分することができる。この際、便器内に残っている水などは、最も外側に位置している１枚の袋の外表面だけに接触したままであり、この最も外側の袋を便器から取り出さない限りはその水などが周囲に飛散することがなくトイレの衛生的な使用環境を維持できる。
【００１０】
また、一人の使用者が使用するたびに逐一排泄物を回収する場合でも、最も内側に位置している袋を袋集合体から分離してそのまま上方に引き上げて取り出すだけで、その場ですぐ次の使用者が使用可能な状態となり、新しい袋をわざわざ便器に設置する手間を省略できる。
【００１１】
この結果、第１発明の袋集合体は、非常用トイレとして簡易かつ衛生的に使用することができる。
【００１２】
第２発明は、上記第１発明において、当該袋集合体を設置対象の便器に固定するための固定手段を備え、前記便器に設置した状態で下向きの頂点となるように、前記複数枚の袋の前記底部が、前記便器への設置状態を基準として側面視略三角形形状に形成されており、前記複数枚の袋のそれぞれの前記開口縁部に複数の把持部が形成されていることを特徴とする。
【００１３】
底部が略三角形形状に形成されていることにより、袋の開口縁部を介して底部の内部に収容された排泄物は、その自重により最も下方に位置する略三角形形状の頂部の一箇所に集中するため、当該袋を上方に引き上げて取り出す際には底部内部の排泄物を滴下することなくきれいに回収することができる。また、袋が複数枚重ねられている状態から最も内側の一枚を引き上げる動作においても、他の袋とのムダな摩擦を生じずに容易に抜き取ることができる。
【００１４】
また、固定手段を備えていることにより、袋集合体を便器における適切な位置に固定して設置することができ、使用によるずれを防ぐことができる。
【００１５】
また各袋の開口縁部に複数の把持部が形成されていることにより、使用者が把持部を把持することで、底部内部に排泄物を収容した単体の袋を容易に取り出すことができ、利便性が向上する。
【００１６】
第３発明は、上記第２発明において、前記複数の把持部は、前記複数枚の袋のそれぞれの同じ配置で同じ突起形状に形成されており、前記複数枚の袋は、互いに重なり合った前記把持部の先端部分どうしで結合していることを特徴とする。
【００１７】
これにより、突起形状の複数の把持部どうしを結ぶことで開口縁部を閉鎖できるなど、袋の取り扱いが容易となる。また、袋集合体を便器に設置した状態では、各袋の開口縁部から突出した把持部の先端部分はいずれも底部から最も離れた位置で便器の外部に配置されることになる。このため、それら把持部の先端部分どうしで各袋が結合していることにより、使用済みの最も内側に位置している袋を分離する際には、当該先端部分の近傍位置で分離させればよく、つまり分離のための直接的な手作業は、便器の外部で、かつ底部内部に収容された排泄物から離れた位置で衛生的に行うことができる。
【００１８】
第４発明は、上記第３発明において、少なくとも最も外側に位置する袋以外の袋が備える前記把持部に、前記先端部分を分離可能なミシン目が形成されていることを特徴とする。
【００１９】
これにより、把持部の適切な分離位置で先端部分をきれいに分離することができ、使用済みの単体の袋を袋集合体から容易に分離できる。
【００２０】
第５発明は、上記第４発明において、前記固定手段は、前記把持部の前記先端部分に設けられていることを特徴とする。
【００２１】
これにより、袋集合体を便器に設置した状態で、底部から最も離れた位置でかつ便器の外部に配置される把持部の先端部分において袋集合体を固定することができる。このため、袋集合体の全体に適切な張力を付加させて緩みのない安定した設置が可能となり、また固定のための直接的な手作業は、便器の外部で衛生的に行うことができる。
【発明の効果】
【００２２】
本発明によれば、非常用トイレとして簡易かつ衛生的に使用することができる。
【図面の簡単な説明】
【００２３】
【図１】本発明の実施形態に係る袋集合体を設置した水洗トイレ全体の外観を表す斜視図である。
【図２】図１中のＩＩ−ＩＩ断面による便器及び袋集合体の断面を表す図である。
【図３】単体の排泄物回収用の袋の構成を説明する図である。
【図４】袋集合体の構成を説明する図である。
【図５】袋集合体の使用後の処理手順を説明する図である。
【図６】袋集合体の他の設置形態を説明する図である。
【発明を実施するための形態】
【００２４】
以下、本発明の実施形態を図面を参照しつつ説明する。なお、以下の説明において、前後左右の方向とはトイレに着座した使用者から見た方向をいう。
【００２５】
図１は、本発明による排泄物回収用の袋集合体の実施形態を設置した水洗トイレの便器全体の外観を表す斜視図であり、図２は図１中のＩＩ−ＩＩ断面による便器及び袋集合体の断面を表す図である。なお、本実施形態は、洋式トイレの便器に設置するものであり、主に使用者が便器に着座して排泄することを前提としている。
【００２６】
これら図１及び図２において、この例の本発明の設置対象となる水洗トイレの便器１００は、便器本体１０１と、この便器本体１０１に回動可能に設けられた便座１０２及び蓋１０３と、便器本体１０１の後方側に設けられた貯水槽１０４とを有している。なお、図２においては、図示の煩雑を回避するために、貯水槽１０４及び便器１００内の水洗構造の図示を省略している。そして、この便器１００の便座１０２が降ろされ、蓋１０３が開かれている状態で本実施形態の袋集合体１が設置されている。
【００２７】
本実施形態の袋集合体１は、後に詳述するように、黒色のビニールからなる袋体に形成された排泄物回収用の袋２を複数枚重ねて結合した構成となっており（後述の図３及び図４参照）、そのほとんどの部分が便器本体１０１の内部に配置されるように設置されている。そして、各袋２の開口縁部２ａには、この例で４つの把持部３，４，５，６（把持部４は便器本体１０１の奥側に配置されているため不図示）が突起形状で形成されており、図示する設置状態では前方と両側方に位置する把持部３，４，５のそれぞれの先端部分が両面テープ７を介して便器本体１０１の外周側面に粘着固定されている。
【００２８】
ここで、図３、図４を参照して、本実施形態の袋集合体１の構成について詳しく説明する。
【００２９】
まず、図３（ａ）に示すように、予め直角二等辺三角形の形状に切断形成された袋体１２が準備される。この袋体１２は、図中の上方に位置する新しい底辺が開口部分１２ａとなって、図中の下方に位置する底部２ｂは三角形の形状に形成されて内部が密閉可能となっている。なお、図示する例では、この底部２ｂの頂角が直角となっているが、これに限られず、他の角度に形成してもよい。
【００３０】
そして、図３（ｂ）に示すように、上記開口部分１２ａの近傍を適宜の形状に切断形成することで、単体の袋２が作成される。本実施形態の例では、この新しく形成された開口部分を開口縁部２ａとし、この開口縁部２ａには４つの把持部３，４，５，６が突起形状に形成されている。なお、図中では２つの把持部４，５が重なり合って示されており、これら２つの把持部４，５は、図中左側の端部に形成した把持部３から比較的離れて、図中右側の端部に形成した把持部６に比較的近い位置に形成されている。これは、上記便器本体１０１に設置した際の安定性を考慮した配置であり、図中左側の端部に形成した把持部３が設置状態での便器本体の前方側に配置されるべき前側把持部３となり、図中右側の端部に形成した把持部６が設置状態での便器本体の後方側に配置されるべき後側把持部６となり、図中で重なり合っている２つの把持部４，５が設置状態での便器本体の両側方にそれぞれ配置されるべき右側把持部４及び左側把持部５となる。
【００３１】
そして、各把持部３，４，５，６の途中位置には、破断開裂が容易なミシン目８が形成されている。また、前側把持部３と後側把持部６のそれぞれの近傍の開口縁部には、部分的に幅を絞るような円弧形状部分９が形成されている。
【００３２】
そしてこのように作成された袋２を、図４に示すように複数枚重ねて結合することで、本実施形態の袋集合体１が作成される。まず、図４（ａ）に示すように、複数枚の袋２は、それぞれの開口縁部２ａを開口した状態でそこに互いの底部２ｂを挿入するように重ねており、すなわち言い換えると複数枚の袋２のそれぞれの底部２ｂを互いに径方向に重なるよう配置している。
【００３３】
そして、図４（ｂ）に示すように、各袋２の対応する把持部３，４，５，６どうしが同じ配置で重なり合い、それら互いに重なり合った把持部３，４，５，６の先端部分３ａ，４ａ，５ａ，６ａどうしで接着または溶着などで圧着されて結合される。また、最も外側に位置する袋２の各把持部３，４，５，６の先端部分３ａ，４ａ，５ａ，６ａに、それぞれ固定手段としての両面テープ７が取り付けられる。これにより、複数枚の袋２が一体となって袋集合体１が作成される。なお、この図４に示す例では、５枚の袋２が重ねられているが、この枚数に限られず、例えば１０枚程度かそれ以上の枚数を重ねて作成してもよい。また、この例では、最も外側に位置する袋２の各把持部にはミシン目８が形成されていないが、最も外側に位置する袋２の各把持部にも上記同様にミシン目８を形成するようにしてもよい。さらに、複数枚の袋２のそれぞれの適宜の箇所に、全体の何枚目であるかを示す表示（例えば「２／１０枚」「ＮＯ．１／５」等）を設けるようにしてもよい。
【００３４】
このようにして作成された本実施形態の袋集合体１は、上記図１、図２に示すように、底部２ｂを便器本体１０１の内部に挿入するとともに開口縁部２ａを上方に向けて開放し、各把持部３，４，５，６の先端部分３ａ，４ａ，５ａ，６ａをそれぞれ便器本体１０１の外周側面の対応する位置に配置し、各両面テープ７を介して粘着固定することで、容易に設置することができる。この設置状態で、使用者が便座１０２に着座して使用することにより、最も内側に位置する袋２の開口縁部２ａを介してその底部２ｂの内部に排泄物Ｓを収容することができる。このとき、袋２が前述のような三角形形状であることにより、底部２ｂに排泄物を効率よく確実に集めることができる。
【００３５】
そしてこの例では、その使用後において、図５（ａ）に示すように、別途用意した凝固剤１０を最も内側に位置する袋２の底部２ｂの内部に投入し、排泄物Ｓを凝固させる。このとき、袋２が前述のような三角形形状であることにより、底部２ｂに集まった排泄物に対し凝固剤１０を効率よくかけることができる。そして図５（ｂ）に示すように、最も内側に位置する袋２に対して、その各把持部３，４，５，６のミシン目８を切断してそれぞれの先端部分３ａ，４ａ，５ａ，６ａを分離することにより、当該袋２を単体で袋集合体１から容易に分離し、取り出すことができる。
【００３６】
このようにして取り出した袋２は、その底部２ｂの内部に排泄物Ｓを収容させたまま、図５（ｃ）に示すように各把持部３，４，５，６どうしを結ぶか、または底部２ｂの中央部分で結んで開口縁部２ａを閉鎖し、廃棄することができる。このとき、袋２が前述のような三角形形状であることにより、例えば袋２が四角形形状である場合に比べて、内部の空気を効率よく確実に抜くことができ、円滑に折りたたみ及び廃棄を行うことができる。また、前側把持部３と後側把持部６のそれぞれの近傍の開口縁部２ａに上記円弧形状部分９が形成されていることにより、各把持部３，６はその先端から十分に長い距離で狭い幅に形成されることになり、把持しやすくなっている。
【００３７】
以上説明したように、本実施形態の袋集合体１によれば、その使用後に、排泄物Ｓを収容している最も内側の袋２を袋集合体１から個別に分離し、その単体で処分することができる。この際、図２に示すように便器本体１０１の内部に残っている水Ｗの水位が比較的高くなっていた場合でも、最も外側に位置している１枚の袋２の外表面だけに接触するだけであり、この最も外側の袋２を便器本体１０１から取り出さない限りはその水Ｗや便器内部の汚れが周囲に飛散することがなくトイレの衛生的な使用環境を維持できる。
【００３８】
また、一人の使用者が使用するたびに逐一排泄物Ｓを回収する場合でも、最も内側に位置している袋２を袋集合体１から分離してそのまま上方に引き上げて取り出すだけで、その場ですぐ次の使用者が使用可能な状態となり、新しい袋２をわざわざ便器１００に設置する手間を省略できる。
【００３９】
この結果、本実施形態の袋集合体１は、非常用トイレとして簡易かつ衛生的に使用することができる。
【００４０】
また、１枚の袋２を一人の使用者で専用に使用することで、他の使用者による排泄物の目視を防ぐことができるため、プライベート保護の観点からも利便性を向上できる。また、便座１０２の上で使用者の臀部に直接接触する袋２も毎回新しいものを使用できるため、この観点からも衛生上の利便性が向上する。しかし、袋集合体１の設置の安定性を優先させる場合には、図６に示すように、便器本体１０１と便座１０２の間に挟むように設置してもよい。
【００４１】
また、本実施形態の袋集合体１は、便器本体１０１の開口部分の全体を覆って内部を密閉するように設置することができるため、図２に示すような便器本体１０１の内部に残っている水Ｗの蒸発を抑制し、下水道に通じる下水管１０５からの臭気の伝達を防ぐことができる。また、便器本体１０１の内部の水Ｗが蒸発した場合でも、袋集合体１そのものが便器本体１０１の開口部を密閉しているため、周囲への臭気の伝達を十分に防ぐことができる。
【００４２】
また、本実施形態では特に、各袋２の底部２ｂが略三角形形状に形成されていることにより、図２に示すように、袋２の開口縁部２ａを介して底部２ｂの内部に収容された排泄物Ｓは、その自重により最も下方に位置する略三角形形状の頂部Ｃの一箇所に集中する。このため、当該袋２を上方に引き上げて取り出す際には底部２ｂ内部の排泄物Ｓを周囲に滴下することなくきれいに回収することができる。また、袋２が複数枚重ねられている状態から最も内側の一枚を引き上げる動作においても、他の袋２とのムダな摩擦を生じずに容易に抜き取ることができる。
【００４３】
また、本実施形態では特に、袋集合体１を設置対象の便器１００に固定するための両面テープ７を備えていることにより、袋集合体１を便器本体１０１における適切な位置に固定して設置することができ、使用によるずれを防ぐことができる。
【００４４】
また、本実施形態では特に、各袋２のそれぞれの開口縁部２ａに複数の把持部３，４，５，６が形成されていることにより、使用者がそれら把持部３，４，５，６を把持して底部２ｂ内部に排泄物Ｓを収容した単体の袋２を容易に取り出すことができ、利便性が向上する。
【００４５】
また、本実施形態では特に、複数の把持部３，４，５，６が、突起形状に形成されていることにより、それら把持部３，４，５，６どうしを結ぶことで開口縁部２ａを閉鎖できるなど、袋２の取り扱いが容易となる。そして、袋集合体１を便器１００に設置した状態では、各袋２の開口縁部２ａから突出した把持部３，４，５，６の先端部分３ａ，４ａ，５ａ，６ａはいずれも底部２ｂから最も離れた位置で便器１００の外部に配置されることになる。このため、対応する把持部３，４，５，６どうしが各袋２のそれぞれの同じ配置に形成され、各袋２は、互いに重なり合った把持部３，４，５，６，の先端部分３ａ，４ａ，５ａ，６ａどうしで結合していることにより、使用済みの最も内側に位置している袋２を分離する際には、当該先端部分３ａ，４ａ，５ａ，６ａの近傍位置で分離させればよく、つまり分離のための直接的な手作業は、便器１００の外部で、かつ底部２ｂ内部に収容された排泄物Ｓから離れた位置で衛生的に行うことができる。
【００４６】
また、本実施形態では特に、最も外側に位置する袋２以外の袋２が備える把持部３，４，５，６に、先端部分３ａ，４ａ，５ａ，６ａを分離可能なミシン目８が形成されていることにより、各把持部３，４，５，６の適切な分離位置で先端部分３ａ，４ａ，５ａ，６ａをきれいに分離することができ、容易に使用済みの単体の袋２を袋集合体１から分離できる。
【００４７】
なお、本実施形態では、最も外側に位置する袋２の把持部３，４，５，６にはミシン目８が形成されておらず、その内側に位置する全ての袋２を使用して取り出した際にもそのまま便器１００に設置させたままにしておくものとしている。そして、その上に被せるようにして新しい袋集合体１を設置させることで、便器本体１０１の内部の密閉を維持できる。この場合には、内側の全ての袋２が取り出されたことを目視で確認できるように、最も外側の袋２だけ、例えば緑色などの他と異なる色としてもよい。しかし、これに限られず、最も外側の袋２の把持部にもミシン目８を形成して、便器本体１０１から取り出し可能としてもよい。
【００４８】
また、本実施形態では特に、固定手段としての両面テープ７は、把持部３，４，５，６の先端部分３ａ，４ａ，５ａ，６ａに設けられていることにより、袋集合体１を便器１００に設置した状態で、底部２ｂから最も離れた位置でかつ便器１００の外部に配置される把持部３，４，５，６の先端部分３ａ，４ａ，５ａ，６ａにおいて袋集合体１を固定することができる。このため、袋集合体１の全体に適切な張力を付加させて緩みのない安定した設置が可能となり、また固定のための直接的な手作業は、便器本体１０１の外部で衛生的に行うことができる。
【００４９】
なお、本発明の袋集合体１は、適宜各部の形状や配置を変更することで、本実施形態の例の洋式トイレの便器以外にも和式トイレなどの他の様式のトイレや、水洗式以外の貯留式のトイレにも適用することが可能である。
【００５０】
上述した実施形態の具体的な構成は、本発明の内容を厳密に限定するものではなく、細部に関しては本発明の趣旨に沿って多様に変更できることはもちろんである。
【符号の説明】
【００５１】
１                袋集合体
２                袋
２ａ              開口縁部
２ｂ              底部
３                前側把持部
３ａ              先端部分
４                右側把持部
４ａ              先端部分
５                左側把持部
５ａ              先端部分
６                後側把持部
６ａ              先端部分
７                両面テープ（固定手段）
８                ミシン目
１００            便器
１０１            便器本体
Ｓ                排泄物
Ｗ                水
Ｃ                頂部
【図１】
0005522833.tif 000002
【図２】
0005522833.tif 000003
【図３】
0005522833.tif 000004
【図４】
0005522833.tif 000005
【図５】
0005522833.tif 000006
【図６】
0005522833.tif 000007